(57)【要約】【課題】利用者が任意に設定した基準距離に基づいて当該基準距離毎に要した経過時間を通知すること、又は、利用者が任意に設定した基準時間に基づいて、当該基準時間毎の走行距離を通知することが可能な計測システムを提供すること。【解決手段】この計測システムは、利用者によって入力部から入力された基準距離又は基準時間を基準インターバルとして記憶し、距離計測部で計測された走行距離又は計時部で計測された経過時間が、前記基準インターバルに達したか否かを判断し、前記走行距離が前記基準距離に達したと判断された場合に、前記計時部の計測値に基づき前記基準距離毎に要した経過時間を利用者に通知する、又は、前記経過時間が前記基準時間に達したと判断された場合に、前記距離計測部の計測値に基づき前記基準時間毎の走行距離を利用者に通知する。【選択図】図１
2012198092.tif 000002
【特許請求の範囲】
【請求項１】
利用者の動き又は位置を検出するセンサーと、
前記センサーの出力に基づき利用者の走行距離を計測する距離計測部と、
経過時間を計測する計時部と、
利用者によって入力部から入力された基準距離又は基準時間を基準インターバルとして記憶する記憶部と、
前記距離計測部で計測された走行距離又は前記計時部で計測された経過時間が、前記基準インターバルに達したか否かを判断する判断部と、
前記走行距離が前記基準距離に達したと判断された場合に、前記計時部の計測値に基づき前記基準距離毎に要した経過時間を利用者に通知する、又は、
前記経過時間が前記基準時間に達したと判断された場合に、前記距離計測部の計測値に基づき前記基準時間毎の走行距離を利用者に通知する通知部とを備えた、計測システム。
【請求項２】
請求項１において、
互いに無線通信を行う計測装置と通知装置とを含み、
前記計測装置は、
少なくとも、前記通知装置との間で無線通信を行う第１の無線通信部と、前記センサーと、前記距離計測部と、前記判断部とを備え、
前記通知装置は、
少なくとも、前記計測装置との間で無線通信を行う第２の無線通信部と、前記通知部とを備えた、計測システム。
【請求項３】
請求項１又は２において、
前記記憶部は、
前記基準距離毎に要した経過時間又は前記基準時間毎の走行距離を履歴情報として記憶し、
前記計時部の計測値に基づく前記基準距離毎に要した経過時間、又は前記距離計測部の計測値に基づく前記基準時間毎の走行距離と、前記履歴情報とを比較する比較部を更に備え、
前記通知部は、
前記比較部での比較結果に基づく情報を利用者に通知する、計測システム。
【請求項４】
請求項３において、
前記判断部は、
前記比較結果が所定の条件を満たすか否かを判断し、
前記通知部は、
前記比較結果が所定の条件を満たすと判断された場合に、前記比較結果に基づく情報を利用者に通知する、計測システム。
【発明の詳細な説明】
【技術分野】
【０００１】
本発明は、計測システムに関する。
【背景技術】
【０００２】
従来、取得した位置情報と時間情報から移動距離、移動時間、移動速度を計算し、これらに関連するデータを報知する機能を備えた移動記録計が知られている（例えば、特許文献１参照）。
【先行技術文献】
【特許文献】
【０００３】
【特許文献１】特開２００４−３８５８５号公報
【発明の概要】
【発明が解決しようとする課題】
【０００４】
しかしながら、従来の移動記録計には、利用者が任意に設定した距離に基づいて当該距離毎の所要時間を報知する機能や、利用者が任意に設定した時間に基づいて、当該時間内の移動距離を報知する機能が無かった。
【０００５】
本発明はこのような問題点に鑑みてなされたものである。本発明のいくつかの態様によれば、利用者が任意に設定した基準距離に基づいて当該基準距離毎に要した経過時間を通知すること、又は、利用者が任意に設定した基準時間に基づいて、当該基準時間毎の走行距離を通知することが可能な計測システムを提供することができる。
【課題を解決するための手段】
【０００６】
（１）本発明に係る計測システムは、利用者の動き又は位置を検出するセンサーと、前記センサーの出力に基づき利用者の走行距離を計測する距離計測部と、経過時間を計測する計時部と、利用者によって入力部から入力された基準距離又は基準時間を基準インターバルとして記憶する記憶部と、前記距離計測部で計測された走行距離又は前記計時部で計測された経過時間が、前記基準インターバルに達したか否かを判断する判断部と、前記走行距離が前記基準距離に達したと判断された場合に、前記計時部の計測値に基づき前記基準距離毎に要した経過時間を利用者に通知する、又は、前記経過時間が前記基準時間に達したと判断された場合に、前記距離計測部の計測値に基づき前記基準時間毎の走行距離を利用者に通知する通知部とを備える。
【０００７】
本発明において、計測システムは、１台の装置（電子機器）により構成してもよいし、無線通信機能を有する複数の装置（電子機器）により構成してもよい。
【０００８】
本発明によれば、利用者が任意に設定した基準距離に基づいて当該基準距離毎に要した経過時間を通知すること、又は、利用者が任意に設定した基準時間に基づいて、当該基準時間毎の走行距離を通知することができ、より利便性に優れた計測システムを提供することができる。
【０００９】
（２）この計測システムは、互いに無線通信を行う計測装置と通知装置とを含み、前記計測装置は、少なくとも、前記通知装置との間で無線通信を行う第１の無線通信部と、前記センサーと、前記距離計測部と、前記判断部とを備え、前記通知装置は、少なくとも、前記計測装置との間で無線通信を行う第２の無線通信部と、前記通知部とを備えるようにしてもよい。
【００１０】
本発明によれば、計測システムを、互いに無線通信を行う計測装置と通知装置とで構成することで、それぞれの装置を小型化することができ、また、計測装置を利用者の動き等を検出し易い位置に配置しつつ、通知装置を利用者に通知し易い位置に配置することが可能となり、より利便性に優れた計測システムを提供することができる。
【００１１】
（３）この計測システムは、前記記憶部は、前記基準距離毎に要した経過時間又は前記基準時間毎の走行距離を履歴情報として記憶し、前記計時部の計測値に基づく前記基準距離毎に要した経過時間、又は前記距離計測部の計測値に基づく前記基準時間毎の走行距離と、前記履歴情報とを比較する比較部を更に備え、前記通知部は、前記比較部での比較結果に基づく情報を利用者に通知するようにしてもよい。
【００１２】
本発明によれば、基準距離毎に要した経過時間又は基準時間毎の走行距離と、過去の履歴情報との比較結果に基づく情報を利用者に通知することができ、より利便性に優れた計測システムを提供することができる。
【００１３】
（４）この計測システムは、前記比較部は、前記比較結果が所定の条件を満たすか否かを判断し、前記通知部は、前記比較結果が所定の条件を満たすと判断された場合に、前記比較結果に基づく情報を利用者に通知するようにしてもよい。
【００１４】
本発明によれば、前記比較結果が所定の条件を満たした場合のみに前記比較結果に基づく情報を利用者に通知することができ、より利便性に優れた計測システムを提供することができる。
【図面の簡単な説明】
【００１５】
【図１】基準距離毎に要した経過時間を通知する場合における、計測システムの機能ブロック図の一例を示す図。
【図２】図１に示す計測システムを、計測装置と通知装置とで構成した場合の一例を示す機能ブロック図。
【図３】図１に示す計測システムを、計測装置と通知装置とで構成した場合の他の例を示す機能ブロック図。
【図４】比較結果を通知する場合における、計測システムの機能ブロック図の一例を示す図。
【図５】基準距離毎に要した経過時間の履歴情報の一例を示す図。
【図６】基準時間毎の走行距離を通知する場合における、計測システムの機能ブロック図の一例を示す図。
【図７】図６に示す計測システムを、計測装置と通知装置とで構成した場合の一例を示す機能ブロック図。
【図８】比較結果を通知する場合における、計測システムの機能ブロック図の一例を示す図。
【図９】基準時間毎の走行距離の履歴情報の一例を示す図。
【図１０】本実施形態の処理の一例について説明するためのフローチャート図。
【図１１】本実施形態の処理の一例について説明するためのフローチャート図。
【発明を実施するための形態】
【００１６】
以下、図面に基づき、本発明の実施形態を説明する。
【００１７】
１．構成
１−１．基準距離毎に要した経過時間を通知する構成
図１は、本実施形態に係る計測システムの機能ブロック図の一例を示す。なお本実施形態の計測システムは図１の構成要素の一部を省略した構成としてもよい。
【００１８】
なお、図１では、利用者が基準インターバルとして入力した基準距離に基づき、入力した基準距離を走行（或いは歩行）するのに要した経過時間（所要時間）を利用者に通知する場合の例について説明する。
【００１９】
図１に示す計測システム１は、１つの装置で構成されており、利用者が携帯可能は携帯型情報処理装置として構成されている。計測システム１は、センサー１０、入力部２０、記憶部３０、処理部４０、通知部５０を含む。
【００２０】
センサー１０は、計測システム１を携帯する利用者の動き（慣性力）又は位置を検出するものであり、動きを検出するセンサーとして、加速度を検出する加速度センサーを用いてもよいし、位置を検出するセンサーとして、ＧＰＳ衛星から電波を受信して位置情報を取得するＧＰＳ受信機を用いてもよい。また、計測システム１は、加速度センサーである第１のセンサーと、ＧＰＳ受信機である第２のセンサーとを含むように構成してもよい。
【００２１】
入力部２０は、利用者が入力情報を入力するためのものであり、その機能は、ボタン、タッチパネル型ディスプレイ等の入力機器や音声入力機器により実現できる。利用者は、入力部２０を用いて、任意の基準距離を基準インターバルとして入力することができる。例えば、利用者が１ｋｍ毎のラップタイム（１ｋｍ毎に要した経過時間）を計測したい場合には、基準インターバル（基準距離）として「１ｋｍ」を入力する。また、入力部２０は、走行距離と経過時間の計測を開始するための操作情報を入力できるように構成されていてもよい。
【００２２】
記憶部３０（メモリー）は、処理部４０のワーク領域となり、また、処理４０の各部として情報処理装置１０を機能させるためのプログラムやデータなどを格納するものであり、その機能はＲＡＭやＲＯＭなどにより実現することができる。
【００２３】
また記憶部３０は、入力部２０から入力された基準距離を基準インターバルとして記憶する。
【００２４】
処理部４０は、センサー１０の出力、入力部からの入力情報に基づきデータ処理を行うものであり、その機能は、ＣＰＵなどのプロセッサーや制御ＩＣ、プログラムにより実現できる。処理部４０は、距離計測部４２、計時部４４、判断部４６を含む。
【００２５】
距離計測部４２は、センサー１０の出力に基づき利用者の走行距離を計測し、計測値を判断部４６に出力する。距離計測部４２は、加速度センサーであるセンサー１０の出力に基づき自律航法により利用者の走行距離を計測してもよいし、ＧＰＳ受信機であるセンサー１０の出力に基づき位置を取得し、取得した位置の変化に基づき利用者の走行距離を計測してもよい。また、距離計測部４２は、加速度センサーである第１のセンサーの出力とＧＰＳ受信機である第２のセンサーの出力とに基づき利用者の走行距離を計測してもよい。
【００２６】
また、距離計測部４２は、センサー１０の出力に基づき走行距離の計測を開始するとともに、計時部４４に対して計測開始信号ＳＳ（割り込み信号）を出力する。例えば、センサー１０の出力に基づき利用者が走行を開始したか（移動したか）否かを判断し、走行を開始した（移動した）と判断した場合に、走行距離の計測を開始する。また、距離計測部４２は、入力部２０から計測の開始を指示する操作情報が入力された場合に、走行距離の計測を開始するようにしてもよい。例えば、利用者が入力部２０の１つである所定のボタンの操作を行った場合に、走行距離の計測を開始するようにしてもよい。
【００２７】
計時部４４（タイマー）は、経過時間を計測する（計時する）ものであり、距離計測部
４２からの計測開始信号ＳＳに応じて経過時間の計測を開始する。
【００２８】
判断部４６は、距離計測部４２で計測された走行距離と、記憶部３０に基準インターバルとして記憶された基準距離とを比較し、計測された走行距離が基準距離に達したか否かを判断する。判断部４６は、走行距離が基準距離に達したと判断した場合には、計時部４４に対して計測停止信号ＥＳ（割り込み信号）を出力する。
【００２９】
計時部４４は、判断部４６からの計測停止信号ＥＳに応じて、計測停止信号ＥＳを受け付けたときの計測値を、基準距離毎に要した経過時間（基準距離毎のラップタイム）として通知部５０に出力する。
【００３０】
通知部５０は、計時部４４から出力された計測値に基づき、基準距離毎に要した経過時間を音声情報により利用者に通知する。通知部５０の機能は、音を生成する音生成部と、音を出力するスピーカー、ヘッドフォンなどの音出力部とにより実現できる。
【００３１】
すなわち、利用者が入力部２０から任意の基準距離を入力し、計測システム１を携帯して走行（歩行でもよい）すると、入力した基準距離毎のラップタイムが音声により利用者に通知されることになり、利用者は任意の基準距離毎のラップタイムを用意に把握することができる。このように本実施形態によれば、利用者が任意に設定した基準距離に基づいて当該基準距離毎の経過時間を通知することができ、より利便性に優れた計測システムを提供することができる。
【００３２】
なお、通知部５０は、基準距離毎に要した経過時間を、文字情報や画像情報により利用者に通知するようにしてもよい。この場合、通知部５０の機能は、画像を生成する画像生成部と、画像を表示する表示部（ディスプレイ）とにより実現できる。また、文字情報や画像情報により通知する場合には、通知時に計測システム１に含まれる振動部を振動させるように構成することで、通知があったことを利用者に把握させることができる。
【００３３】
図２は、図１に示す計測システムを、計測装置と通知装置とで構成した場合の一例を示す機能ブロック図である。図２において、図１と共通する構成要素については同一の符号を付し、その説明を適宜省略する。
【００３４】
図２に示す例では、計測システム１は、互いに無線通信を行う計測装置２と通知装置４とを含む。計測装置２は、センサー１０、入力部２０、記憶部３０、処理部４０、第１の無線通信部６０を含み、通知装置４は、第２の無線通信部６２、通知部５０を含む。第１及び第２の無線通信部６０、６２は、無線通信を行うための各種制御を行うものであり、その機能は、各種プロセッサーや通信用ＡＳＩＣ、プログラムなどにより実現することができる。
【００３５】
計測装置２の計時部４４は、計測停止信号ＥＳに応じて、そのときの計測値を、基準距離毎に要した経過時間として第１の無線通信部６０に出力する。第１の無線通信部６０は、計時部４４からの計測値を、通知装置４の第２の無線通信部６２に無線通信により送信する。第２の無線通信部６２は、第１の無線通信部６０から送信された計測値を受信して通知部５０に出力する。通知部５０は、第２の無線通信部６２から出力された計測値に基づき、基準距離毎に要した経過時間を、音声情報、文字情報或いは画像情報により利用者に通知する。なお、図２に示す例において、入力部２０を、通知装置４に含まれるように構成し、入力部２０から入力された基準距離を第２の無線通信部６２、第１の無線通信部６０を介して記憶部３０に記憶させるようにしてもよい。
【００３６】
図３は、図１に示す計測システムを、計測装置と通知装置とで構成した場合の他の例を示す機能ブロック図である。図３において、図１、図２と共通する構成要素については同一の符号を付し、その説明を適宜省略する。
【００３７】
図３に示す例では、計測装置２は計時部４６を含まずに、通知装置４が計時部４６を含むように構成されている。計測装置１の距離計測部４２は、第１の無線通信部６０に対して計測開始信号ＳＳを出力し、判断部４６は、第１の無線通信部６０に対して計測停止信号ＥＳを出力する。第１の無線通信部６０は、距離計測部４２から出力された計測開始信号ＳＳと、判断部４６から出力された計測停止信号ＥＳとを、通知装置４の第２の無線通信部６２に送信する。第２の無線通信部６２は、受信した計測開始信号ＳＳと計測停止信号ＥＳとを計時部４６に出力する。計時部４６は、第２の無線通信部６２からの計測開始信号ＳＳに応じて経過時間の計測を開始し、第２の無線通信部６２からの計測停止信号ＥＳに応じてそのときの計測値を基準距離毎に要した経過時間として通知部５０に出力する。
【００３８】
図２、図３に示すように、計測システム１を、走行距離及び経過時間を計測する計測装置２と、基準距離毎に要した経過時間を通知する通知装置４とに分けて構成することで、それぞれの装置を小型化することができ、また、計測装置２を利用者の動き等を検出し易い位置に配置しつつ、通知装置４を利用者に通知し易い位置に配置することが可能となり、より利便性に優れた計測システムを提供することができる。
【００３９】
図４は、基準距離毎に要した経過時間と履歴情報とを比較して比較結果を通知する場合における計測システムの機能ブロック図の一例である。図４において、図１と共通する構成要素については同一の符号を付し、その説明を適宜省略する。
【００４０】
図４に示す例では、計測システム１の記憶部３０は、計時部４４から出力される基準距離毎に要した経過時間（基準距離毎のラップタイム）を履歴情報として記憶する。また、計測システム１の処理部４０は、比較部４８を更に含む。比較部４８は、計時部４４から出力された基準距離毎に要した経過時間と記憶部３０に記憶された過去の履歴情報とを比較し、比較結果を通知部５０に出力する。通知部５０は、比較部４８での比較結果に基づく情報（音声情報、文字情報或いは画像情報）を利用者に通知する。なお、図２に示す計測システム１においては、計測装置２の処理部４０が比較部４８を含むように構成し、図３に示す計測システム１においては、通知装置４が比較部４８を含むように構成すればよい。
【００４１】
例えば、基準距離として「１ｋｍ」が設定された場合には、図５に示すように、計時部４４から出力される、１ｋｍ毎に要した経過時間（１ｋｍ毎のラップタイム）が履歴情報として記憶される。そして比較部４８は、計時部４４から出力される１ｋｍ毎のラップタイムと、図５に示すような履歴情報のラップタイムとの差分を算出し、通知部５０は、比較部で算出された１ｋｍ毎のラップタイムの差分（比較結果の一例）を音声情報、文字情報或いは画像情報により通知する。また、ラップタイムの差分を通知することに代えて、現在のラップタイムが履歴情報のラップタイムより上回っている、或いは下回っている旨を通知するようにしてもよい。
【００４２】
また比較部４８は、基準距離毎のラップタイムの差分（比較結果の一例）が所定の条件を満たすか否かを判断し、通知部５０は、基準距離毎のラップタイムの差分が所定の条件を満たすと判断された場合に、基準距離毎のラップタイムの差分を通知するようにしてもよい。例えば、比較部４８は、基準距離毎のラップタイムの差分が所定の閾値を上回ったか否かを判断し、通知部５０は、所定の閾値を上回ったと判断された場合にラップタイムの差分を通知するようにしてもよい。
【００４３】
このように、本実施形態によれば、基準距離毎に要した経過時間と過去の履歴情報との比較結果に基づく情報を利用者に通知することができ、また、比較結果が所定の条件を満たした場合（例えば履歴情報との差分が所定の値よりも大きい場合）のみに比較結果に基づく情報を利用者に通知することができ、より利便性に優れた計測システムを提供することができる。
【００４４】
１−２．基準時間毎の走行距離を通知する構成
図６は、利用者が基準インターバルとして入力した基準時間に基づき、入力した基準時間毎の走行距離を利用者に通知する場合における計測システムの機能ブロック図の一例である。図６において、図１と共通する構成要素については同一の符号を付し、その説明を適宜省略する。
【００４５】
図６に示す例では、利用者は、入力部２０を用いて、任意の基準時間を基準インターバルとして入力することができる。例えば、利用者が１０分毎の走行距離を計測したい場合には、基準インターバル（基準時間）として「１０分」を入力する。記憶部３０は、入力部２０から入力された基準時間を基準インターバルとして記憶する。
【００４６】
計時部４４は、距離計測部４２からの計測開始信号ＳＳに応じて経過時間の計測を開始し、計測値を判断部４６に出力する。判断部３０は、計時部４４で計測された経過時間（計測値）と、記憶部３０に基準インターバルとして記憶された基準時間とを比較し、計測された経過時間が基準時間に達したか否かを判断する。判断部４６は、経過時間が基準時間に達したと判断した場合には、距離計測部４２に対して計測停止信号ＥＳを出力する。
【００４７】
距離計測部４２は、判断部４６からの計測停止信号ＥＳに応じて、計測停止信号ＥＳを受け付けたときの計測値を、基準時間毎の走行距離として通知部５０に出力する。通知部５０は、距離計測部４２から出力された計測値に基づき、基準時間毎の走行距離を音声情報、文字情報或いは画像情報により利用者に通知する。
【００４８】
すなわち、利用者が入力部２０から任意の基準時間を入力し、計測システム１を携帯して走行（歩行でもよい）すると、入力した基準時間毎の走行距離が音声、文字或いは画像により利用者に通知されることになり、利用者は任意の基準時間毎の走行距離を用意に把握することができる。このように本実施形態によれば、利用者が任意に設定した基準時間に基づいて当該基準時間毎の走行距離を通知することができ、より利便性に優れた計測システムを提供することができる。
【００４９】
図７は、図６に示す計測システムを、計測装置と通知装置とで構成した場合の一例を示す機能ブロック図である。図７において、図２、図６と共通する構成要素については同一の符号を付し、その説明を適宜省略する。
【００５０】
図７に示す例では、図２に示す場合と同様に、計測システム１は、互いに無線通信を行う計測装置２と通知装置４とを含む。計測装置２の距離計測部４２は、計測停止信号ＥＳに応じて、そのときの計測値を、基準時間毎の走行距離として第１の無線通信部６０に出力する。第１の無線通信部６０は、距離計測部４２からの計測値を、通知装置４の第２の無線通信部６２に無線通信により送信する。第２の無線通信部６２は、第１の無線通信部６０から送信された計測値を受信して通知部５０に出力する。通知部５０は、第２の無線通信部６２から出力された計測値に基づき、基準時間毎の走行距離を、音声情報、文字情報或いは画像情報により利用者に通知する。なお、図７に示す例において、入力部２０を、通知装置４に含まれるように構成し、入力部２０から入力された基準時間を第２の無線通信部６２、第１の無線通信部６０を介して記憶部３０に記憶させるようにしてもよい。
【００５１】
図８は、基準時間毎の走行距離と履歴情報とを比較して比較結果を通知する場合における計測システムの機能ブロック図の一例である。図８において、図６と共通する構成要素については同一の符号を付し、その説明を適宜省略する。
【００５２】
図８に示す例では、計測システム１の記憶部３０は、距離計測部４２から出力される基準時間毎の走行距離を履歴情報として記憶する。また、図４に示す場合と同様に、計測システム１の処理部４０は、比較部４８を更に含む。比較部４８は、距離計測部４２から出力される基準時間毎の走行距離と記憶部３０に記憶された過去の履歴情報とを比較し、比較結果を通知部５０に出力する。通知部５０は、比較部４８での比較結果に基づく情報（音声情報、文字情報或いは画像情報）を利用者に通知する。なお、図７に示す計測システム１においては、計測装置２の処理部４０が比較部４８を含むように構成すればよい。
【００５３】
例えば、基準時間として「１０分」が設定された場合には、図９に示すように、距離計測部４２から出力される１０分毎の走行距離が履歴情報として記憶される。そして比較部４８は、距離計測部４２から出力される１０分毎の走行距離と、図９に示すような履歴情報の走行距離との差分を算出し、通知部５０は、比較部４８で算出された１０分毎の走行距離の差分（比較結果の一例）を音声情報、文字情報或いは画像情報により通知する。また、走行距離の差分を通知することに代えて、現在の１０分毎の走行距離が履歴情報の１０分毎の走行距離より上回っている、或いは下回っている旨を通知するようにしてもよい。
【００５４】
また比較部４８は、基準時間毎の走行距離の差分（比較結果の一例）が所定の条件を満たすか否かを判断し、通知部５０は、基準時間毎の走行距離の差分が所定の条件を満たすと判断された場合に、基準時間毎の走行距離の差分を通知するようにしてもよい。例えば、比較部４８は、基準時間毎の走行距離の差分が所定の閾値を上回ったか否かを判断し、通知部５０は、所定の閾値を上回ったと判断された場合に基準時間毎の走行距離の差分を通知するようにしてもよい。
【００５５】
このように、本実施形態によれば、基準時間毎の走行距離と、過去の履歴情報との比較結果に基づく情報を利用者に通知することができ、また、比較結果が所定の条件を満たした場合（例えば履歴情報との差分が所定の値よりも大きい場合）のみに比較結果に基づく情報を利用者に通知することができ、より利便性に優れた計測システムを提供することができる。
【００５６】
２．処理
次に、本実施形態の処理の一例について図１０、図１１のフローチャートを用いて説明する。
【００５７】
図１０は、利用者が基準インターバルとして入力した基準距離に基づき、入力した基準距離毎に要した経過時間を通知する場合の処理の一例を示すフローチャート図である。
【００５８】
まず、距離計測部４２は、センサー１０の出力に基づき利用者が走行を開始したか否かを判断する（ステップＳ１０）。利用者が走行を開始したと判断した場合（ステップＳ１０のＹ）には、センサー１０の出力に基づき利用者の走行距離を計測する（ステップＳ１２）。次に、計時部４４は、経過時間を計測する（ステップＳ１４）。
【００５９】
次に、判断部４６は、距離計測部４２で計測された走行距離が、記憶部３０に記憶された基準距離に達したか否かを判断し（ステップＳ１６）、基準距離に達していないと判断された場合（ステップＳ１６のＮ）には、ステップＳ１２の処理に進み、走行距離が基準距離に達するまで、走行距離と経過時間の計測を継続する。
【００６０】
走行距離が基準距離に達したと判断された場合（ステップＳ１６のＹ）には、計時部４４は、計測値を基準距離毎に要した経過時間（基準距離毎のラップライム）として出力し、通知部５０は、計時部４４から出力された計測値に基づき、基準距離毎に要した経過時間を音声情報等により利用者に通知する（ステップＳ１８）。
【００６１】
次に、比較部４８は、計時部４４から出力された基準距離毎に要した経過時間と、記憶部３０に記憶された履歴情報との差分を算出し（ステップＳ２０）、算出した差分が所定の閾値を超えるか否かを判断する（ステップＳ２２）。所定の閾値を超えると判断された場合（ステップＳ２２のＹ）には、通知部５０は、比較部２０で算出された差分を音声情報等により利用者に通知する（ステップＳ２４）。また、算出した差分が所定の閾値を超えていないと判断された場合（ステップＳ２２のＮ）には、ステップＳ２６の処理に進む。
【００６２】
次に、距離計測部４２は、センサー１０の出力に基づき利用者が走行を終了したか否かを判断し（ステップＳ２６）、走行を終了していないと判断された場合（ステップＳ２６のＮ）には、処理部４０は、距離計測部４２で計測された走行距離と、計時部４４で計測された経過時間とを保存すると共に、リセットし（ステップＳ２８）、ステップＳ１２の処理に進む。以降、利用者が走行を終了したと判断されるまで、ステップＳ１２〜Ｓ２８の処理を繰り返す。
【００６３】
図１１は、利用者が基準インターバルとして入力した基準時間に基づき、入力した基準時間毎の走行距離を通知する場合の処理の一例を示すフローチャート図である。
【００６４】
まず、距離計測部４２は、センサー１０の出力に基づき利用者が走行を開始したか否かを判断する（ステップＳ３０）。利用者が走行を開始したと判断した場合（ステップＳ３０のＹ）には、センサー１０の出力に基づき利用者の走行距離を計測する（ステップＳ３２）。次に、計時部４４は、経過時間を計測する（ステップＳ３４）。
【００６５】
次に、判断部４６は、計時部４４で計測された経過時間が、記憶部３０に記憶された基準時間に達したか否かを判断し（ステップＳ３６）、基準時間に達していないと判断された場合（ステップＳ３６のＮ）には、ステップＳ３２の処理に進み、経過時間が基準時間に達するまで、走行距離と経過時間の計測を継続する。
【００６６】
経過時間が基準時間に達したと判断された場合（ステップＳ３６のＹ）には、距離計測部４２は、計測値を基準時間毎の走行距離として出力し、通知部５０は、距離計測部４２から出力された計測値に基づき、基準時間毎の走行距離を音声情報等により利用者に通知する（ステップＳ３８）。
【００６７】
次に、比較部４８は、距離計測部４２から出力された基準時間毎の走行距離と、記憶部３０に記憶された履歴情報との差分を算出し（ステップＳ４０）、算出した差分が所定の閾値を超えるか否かを判断する（ステップＳ４２）。所定の閾値を超えると判断された場合（ステップＳ４２のＹ）には、通知部５０は、比較部２０で算出された差分を音声情報等により利用者に通知する（ステップＳ４４）。また、算出した差分が所定の閾値を超えていないと判断された場合（ステップＳ４２のＮ）には、ステップＳ４６の処理に進む。
【００６８】
次に、距離計測部４２は、センサー１０の出力に基づき利用者が走行を終了したか否かを判断し（ステップＳ４６）、走行を終了していないと判断された場合（ステップＳ４６のＮ）には、処理部４０は、距離計測部４２で計測された走行距離と、計時部４４で計測された経過時間とを保存すると共に、リセットし（ステップＳ４８）、ステップＳ３２の処理に進む。以降、利用者が走行を終了したと判断されるまで、ステップＳ３２〜Ｓ４８の処理を繰り返す。
【００６９】
本発明の技術範囲は上記実施形態に限定されるものではなく、本発明の趣旨を逸脱しない範囲で適宜変更を加えることができる。
【符号の説明】
【００７０】
１  計測システム、２  計測装置、４  通知装置、１０  センサー、２０  入力部、３０  記憶部、４０  処理部、４２  距離計測部、４４  計時部、４６  判断部、４８  比較部、５０  通知部、６０  第１の無線通信部、６２  第２の無線通信部
【図１】
2012198092.tif 000003
【図２】
2012198092.tif 000004
【図３】
2012198092.tif 000005
【図４】
2012198092.tif 000006
【図５】
2012198092.tif 000007
【図６】
2012198092.tif 000008
【図７】
2012198092.tif 000009
【図８】
2012198092.tif 000010
【図９】
2012198092.tif 000011
【図１０】
2012198092.tif 000012
【図１１】
2012198092.tif 000013